(57)【要約】【課題】疑券が混在している場合、これを別途に用意された専用の収容部へ振り分け、装置自体の作動は停止することなく続行させることができ、セットされる印刷紙葉類の位置決めや適切な搬送が精巧に実行され、処理スピードが格段にアップされる印刷紙葉類のカウンターとする。【解決手段】対象となる印刷紙葉類束をセットするホッパー部と、そのホッパー部に備えられた前記印刷紙葉類を一枚づつ送り出す機構と、前記ホッパー部に続き駆動ローラに沿って形成された搬路と、その搬路に沿って設けられた識別センサー群及びカウントセンサーと、前記搬路に続けて設けられた回転バーン機構と、その回転バーン機構に近接して設けられた真正券のスタッカー及び疑券の収納部と、前記真正券のスタッカー及び疑券の収納部に送られてくる印刷紙葉類を振り分ける機構とを有していることとする。【選択図】          図１
2004348404.tif 000002
【特許請求の範囲】
【請求項１】
対象となる印刷紙葉類束をセットするホッパー部と、そのホッパー部に備えられた前記印刷紙葉類を一枚づつ送り出す機構と、前記ホッパー部に続き駆動ローラに沿って形成された搬路と、その搬路に沿って設けられた識別センサー群及びカウントセンサーと、前記搬路に続けて設けられた回転バーン機構と、その回転バーン機構に近接して設けられた真正券のスタッカー及び疑券の収納部と、前記真正券のスタッカー及び疑券の収納部に送られてくる印刷紙葉類を振り分ける機構とを有していることを特徴とする印刷紙葉類のカウンター。
【請求項２】
前記した真正券のスタッカーは複数設け、印刷紙葉類の種類ごとに収容できることとしたことを特徴とする請求項１に記載の印刷紙葉類のカウンター。
【請求項３】
少なくとも前記したホッパー部にはセットされる印刷紙葉類のセンター部分を示唆するマーキングが施されていることを特徴とする請求項１または請求項２に記載の印刷紙葉類のカウンター。
【請求項４】
前記したホッパー部には、セットされた印刷紙葉類を上方から自重で押える押え板を備えていることを特徴とする請求項１、請求項２または請求項３に記載の印刷紙葉類のカウンター。
【請求項５】
前記した押え板は不使用時に折り畳めることを特徴とする請求項４に記載の印刷紙葉類のカウンター。
【請求項６】
前記した駆動ローラはウレタンゴム製等のものとし、それと同軸にガイドローラを備えていることを特徴とする請求項１、請求項２、請求項３、請求項４または請求項５に記載の印刷紙葉類のカウンター。
【請求項７】
前記したガイドローラはアルミニウム等の金属製または帯電性のない樹脂等としたことを特徴とする請求項６に記載の印刷紙葉類のカウンター。
【請求項８】
前記した印刷紙葉類を振り分ける機構はモータ軸に取り付けられた回動部材としたことを特徴とする請求項１、請求項２、請求項３、請求項４、請求項５、請求項６または請求項７に記載の印刷紙葉類のカウンター。
【請求項９】
前記した印刷紙葉類を振り分ける機構は軸支された回動片をモータ軸に取り付けられた作動棒で作動させ、その作動棒はフォトインタラプタ等と対応させてあることを特徴とする請求項１、請求項２、請求項３、請求項４、請求項５、請求項６または請求項７に記載の印刷紙葉類のカウンター。
【請求項１０】
前記した印刷紙葉類を振り分ける機構はモータ軸に取り付けられた回転作動体によって遮断体をスライドさせることを特徴とする請求項１、請求項２、請求項３、請求項４、請求項５、請求項６または請求項７に記載の印刷紙葉類のカウンター。
【請求項１１】
前記した印刷紙葉類を振り分ける機構はソレノイド等を用いていることを特徴とする請求項１、請求項２、請求項３、請求項４、請求項５、請求項６または請求項７に記載の印刷紙葉類のカウンター。
【発明の詳細な説明】
【０００１】
【発明の属する技術分野】
本発明は印刷紙葉類のカウンター、特に紙幣、商品券、ビール券等の券状とされた印刷紙葉類が何枚あるかを数え、同時にその真贋や種類のチェックも行なうことができる印刷紙葉類のカウンターに関する。
【０００２】
【特許文献】
本出願発明の内容に関し、出願人において先行する技術の調査を行なったが、格別に近似すると思われるものは発見できなかった。
【０００３】
【発明の背景】
従来より、紙幣をはじめ紙券の枚数を数えるためのカウンターの存在は知られており、その対象となる紙券、特に印刷紙葉類の場合には、その印刷紙葉類を搬送させ、その搬送路に磁気や光学系を用いた真贋、識別のセンサーを備え、疑券が存在した場合に、これを抽出するものも知られている。
【０００４】
【発明が解決しようとする課題】
しかしながら、この従来のカウンターにあっては疑券の存在があった時その疑券も真正券と同一のルートを通って収容部に入り、同時にカウンター自体の作動が停止される。そして、その疑券を手作業で取り除き、再起動をかける必要性があり、常に作業者がカウンターを監視していなければならない煩わしさがあった。
【０００５】
また、従来のカウンターにあってはサイズの異なる印刷紙葉類に対して、チェックすべきパートを適切にセンサーと対応させるのに相応の手間がかかり、さらには時として重ね送りや紙券の位置ずれ、ジャム等を生じてしまう事態もあった。
【０００６】
【発明の目的】
そこで、本発明は上記した従来の実情、問題点に着目してなされたもので、かかる問題点を解消して、疑券が混在している場合、これを別途に用意された専用の収容部へ振り分け、装置自体の作動は停止することなく続行させることができ、セットされる印刷紙葉類の位置決めや適切な搬送が精巧に実行され、処理スピードが格段にアップされる印刷紙葉類のカウンターを提供することを目的としている。
【０００７】
【課題を解決するための手段】
この目的を達成するために、本発明に係る印刷紙葉類のカウンターは対象となる印刷紙葉類束をセットするホッパー部と、そのホッパー部に備えられた前記印刷紙葉類を一枚づつ送り出す機構と、前記ホッパー部に続き駆動ローラに沿って形成された搬路と、その搬路に沿って設けられた識別センサー群及びカウントセンサーと、前記搬路に続けて設けられた回転バーン機構と、その回転バーン機構に近接して設けられた真正券のスタッカー及び疑券の収納部と、前記真正券のスタッカー及び疑券の収納部に送られてくる印刷紙葉類を振り分ける機構とを有していることを特徴とし、前記した真正券のスタッカーは複数設け、印刷紙葉類の種類ごとに収容できることとしたことを特徴とし、少なくとも前記したホッパー部にはセットされる印刷紙葉類のセンター部分を示唆するマーキングが施されていることを特徴とし、前記したホッパー部には、セットされた印刷紙葉類を上方から自重で押える押え板を備えていることを特徴とし、前記した押え板は不使用時に折り畳めることを特徴としている。
【０００８】
また、本発明に係る印刷紙葉類のカウンターは前記した駆動ローラはウレタンゴム製等のものとし、それと同軸にガイドローラを備えていることを特徴とし、前記したガイドローラはアルミニウム等の金属製または帯電性のない樹脂等としたことを特徴としている。
【０００９】
さらに、本発明に係る印刷紙葉類のカウンターは前記した印刷紙葉類を振り分ける機構はモータ軸に取り付けられた回動部材としたことを特徴とし、前記した印刷紙葉類を振り分ける機構は軸支された回動片をモータ軸に取り付けられた作動棒で作動させ、その作動棒はフォトインタラプタ等と対応させてあることを特徴とし、前記した印刷紙葉類を振り分ける機構はモータ軸に取り付けられた回転作動体によって遮断体をスライドさせることを特徴とし、前記した印刷紙葉類を振り分ける機構はソレノイド等を用いていることを特徴としている。
【００１０】
【作用】
上記した構成としたことにより、ホッパー部にセットされた印刷紙葉類は常にそのセンターラインを出した正確な位置取りによって一枚づつ搬送され、疑券が混在している場合にも、その疑券を専用の収容部に自動的に振り分け、全体の動作が停止されることなく作業が続行されることとなる。また、重ね送りや傾き送り、ジャム等も極力抑制され、精巧な作業となり、その作業のスピードは大幅にアップされるとともに、全体がコンパクト化され、機構要素の少なさや簡素化によって故障も少なく、価格も低廉なものとすることができるのである。
【００１１】
【発明の実施の形態】
次に、本発明の好ましい実施の形態を、対象とする印刷紙葉類に紙幣を想定し、図面を参照して説明する。図１は本発明を実施した紙幣カウンターの機構を示す側面図、図２はスライド式の振り分け機構を示す側面図、図３はスライド機構を示す図、図４は他のスライド機構を示す図、図５はソレノイドを用いた場合を示す正面図、図６はホッパー部の押え板機構を示す図、図７は同じく側断面図、図８は同じく折り畳んだ状態を示す図、図９は駆動ローラにガイドローラを付設した状態を示す図である。
【００１２】
これらの図にあって１はケーシングを示しており、このケーシング１の上方前方には紙幣Ｂがセットされるホッパー部２が備えられ、このホッパー部２の底面は搬路に紙幣Ｂが入り易いようにテーパ状とされている。このホッパー部２には紙幣Ｂ（短手方向に送られる）のセンターガイド３が付設され、後述するセンサー群と適正に対応できる位置に紙幣Ｂのセットがなされるようにしている。４はピン４ａで枢支されたそのハンディアーム、５は調整用摘みを示している。
【００１３】
前記したホッパー部２と対応するケーシング１の前面にはＬＣＤ、液晶等を使用した表示パネル６が設けられ、作動内容等の表示が行なわれる。ホッパー部２の底面には紙幣Ｂを底側から一枚づつ送り出す偏心ローラ７の一部が突出されている。
【００１４】
このホッパー部２の出口部分には端部外周をウレタンゴムで覆って滑り止めした駆動ローラ８・８が軸９に支持され、回転可能に備えられている。この駆動ローラ８・８の半周程の外側には、その駆動ローラ８・８に沿ったガイドカバー１０が設けられ、そのガイドカバー１０と駆動ローラ８・８との間に紙幣Ｂの搬路１１が形成されている。
【００１５】
また、前記した軸９に駆動ローラ８・８と隣接させて駆動ローラ８・８と同径でアルミニウム製等のガイドローラ１２・１２を備えると、送られてくる紙幣Ｂの傾きや暴れを抑えることができ、正確な搬送を行なえることとなる。
【００１６】
さらに、前記したホッパー部２の出口と駆動ローラ８・８との境界部分には紙幣Ｂを搬路１１へ導く誘導プーリ１３が備えられ、同時に紙幣Ｂの重ね送りを防止する静止ローラ（あるいは逆転ローラ）１４が備えられている。
【００１７】
前記した搬路１１に沿って、主として光学系とした紙幣の真贋、金種を識別するセンサー群１５が設けられており、このセンサー群１５には少なくとも赤色の発光素子及びその受光素子が組み入れられている。
【００１８】
また、さらに搬路１１の進行側には、光学系を用いたカウントセンサー１６が設けられており、通過して行く紙幣Ｂの枚数を一枚づつカウントし、例えば前記した表示パネル６等に表示する。
【００１９】
図中１７は排出ローラであり、駆動ローラ８・８に沿って形成された搬路１１を送られてきた紙幣Ｂを回転バーン機構１８へ送り込む作用を行なう。
【００２０】
前記した回転バーン機構１８は回転軸１９に一対のローラ２０・２０が軸支されたもので、この各ローラ２０・２０の外周面に方向性を同じくして重合されたバーン（羽根）２１・２１‥が複数枚連続して備えられている。紙幣Ｂは一枚づつバーン２１・２１間へ挿入ガイドされていく。
【００２１】
また、前記した回転バーン機構１８に近接して、センサー群１５によって真正と判定された真正紙幣Ｂ１が収容されるスタッカー２２及び疑券Ｂ２を収容する収容部２３が設けられている。本実施の形態ではスタッカー２２を下方に収容部２３を上方に配置したがこの部位が入れ替わっても問題はない。スタッカー２２には前面に真正紙幣Ｂ１を取り出すための開閉扉２４が基端を枢支されて備えられている。
【００２２】
前記した収容部２３の先端と回転バーン機構１８との間には隙間Ｓが形成されており、本実施の形態にあって真正紙幣Ｂ１はこの隙間Ｓを通過してスタッカー２２へ収容される。しかし、疑券Ｂ２が混在していた場合、振り分け機構が作動して、前記隙間Ｓを遮断して、その疑券Ｂ２を収容部２３へ誘導することとなる。
【００２３】
図１にあって前記した振り分け機構はモータ２５のモータ軸に取り付けられた片体、棒体等任意の回動部材２６とされている。通常、真正紙幣Ｂ１が通過している際は、この回動部材２６は下方に位置され、隙間Ｓを開放しているが、疑券Ｂ２を検知するとモータ２５が駆動して回動部材２６を回動させ、隙間Ｓを遮断してその疑券Ｂ２を専用の収容部２３へ誘導することとなり、その後はモータ２５が逆回転して回動部材２６を初期位置に復帰させる。
【００２４】
また、前記した回動部材２６を用いる機構は、この回動部材２６を所定の角度を持たせた状態で軸支し、別異の作動棒等で操作してやることもできる。この場合、作動棒等はモータ軸に取り付けて、モータ駆動するようにし、常時は垂設された状態でフォトインタラプタと対応させておくこともできる。
【００２５】
さらに、振り分け機構は前記した回動タイプのほかに、スライドタイプとすることもできる。即ち、スライド部材２７を前後方向にスライドさせることで隙間Ｓの開閉を行なうものである。このスライド部材２７を作動させるためには例えば図３、図４に示すような機構が考えられる。
【００２６】
図３に示す場合にはスライド部材２７の先端にフック部２７ａを形成し、その後端をコイルスプリング２８で引張附勢してある。また、図中２９はローターで、このローター２９の外周寄りには係合突部２９ａが形成され、その係合突部２９ａとフック部２７ａが係合されている。ここで、疑券Ｂ２が検知されるとローター２９が回転して、係合突部２９ａがフック部２７ａを押してスライド部材２７をスライドさせ、隙間Ｓを遮断する。そして、ローター２９の回転が進んで係合突部２９ａとフック部２７ａの係合が解除されると、コイルスプリング２８の附勢力でスライド部材２７は初期状態に復帰されることとなる。
【００２７】
また、図４として示す場合にはスライド部材２７の一端に略４５度のテーパ面２７ｂが形成され、このテーパ面２７ｂ端をコイルスプリング２８で引張附勢されている。そして、ローター２９にはそのローター２９の外径から両端が突出する回転作動体２９ｂが備えられ、その回転作動体２９ｂの両端は平行方向に形成された略４５度のテーパ面２９ｃ・２９ｃとされている。ここで、疑券Ｂ２が検知されると、ローター２９が回転し、回転作動体２９ｂの一端のテーパ面２９ｃがスライド部材２７のテーパ面２７ｂを押し、これをスライドさせ隙間Ｓを遮断する。なおもローター２９が回転することで回転作動体２９ｂとスライド部材２７との当接が解除されるとコイルスプリング２８の附勢力でスライド部材２７は初期位置に復帰され、回転作動体２９ｂは先程とは他端のテーパ面２９ｃがスライド部材２７に対してスタンバイ状態となる。
【００２８】
さらに、振り分け機構としては、図５に示すようなソレノイド３０を用いることもできる。この場合、通常ソレノイド３０のピン３１は引き込まれており、隙間Ｓを解放して真正紙幣Ｂ１を通過させているが、疑券Ｂ２が検知されるとピン３１を突出させて隙間Ｓを遮断し、その疑券Ｂ２を収容部２３へ誘導することとなる。
【００２９】
また、前記したホッパー部２には前記したセンターガイド３に代え、あるいは付加してセットする紙幣Ｂのセンターを出し易いようにセンターライン３２等をはじめとするマーキングを施すことができる。このマーキングはセンターライン３２のほか、矢印であったり、ドットマーク等任意のものを用いることができる。
【００３０】
そして、このホッパー部２にはセットする紙幣Ｂの幅に合わせて左右に摺動するガイド３３・３３が取り付けられる。図６に示すものは手動式で長溝３４・３４とガイド３３・３３に設けられたピン３３ａの組み合せによるが、電動オート式とすると、ガイド３３・３３に備えたナットを中心から相互に逆方向に螺溝を刻設したボルトと組み合せ、そのボルトの中心部に設けられたプーリをモータとベルトで繋ぎ回転させる機構等で実現できる。
【００３１】
さらに、図中３５はホッパー部２にセットされた紙幣Ｂを上方から軽く押える押え板である。この押え板３５は折り畳み可能となっており、ホッパー部２の壁面に形成された上下方向の長溝３６・３６に対して、ピン３７を遊嵌させ、そのピン３７の突出端に抜け止め部材３７ａが備えられたものとなっている。即ち、ピン３７の長溝３６への遊嵌によって、押え板３５は自重で降下するものとなっており、その自重で紙幣Ｂの上面を押えることになる。不使用時には紙幣Ｂの存在もないことから図８のように折り畳まれることになる。また、ピン３７は縦方向に二本以上設けることとしてもよく、ピン３７を複数本とすることで降下のガタ付きは防止され、安定した動作を得ることができる。
【００３２】
また、本実施の形態に係る紙幣カウンターには適宜の枚数でセットできるバッチ機能も具備し、紙幣の連続投入のほか、当初に予め予定した枚数のみをカウントして収容し、取り出す作業も可能となる。尚、図中３８はメカニズム駆動のメインモータ、３９は電源用のシーソースイッチ、４０はメカニズム作動用のシーソースイッチ、４１はメンテナンス用の開閉扉を示している。
【００３３】
本実施の形態に係る紙幣カウンターは上記のように構成され、作用する。また、スタッカー２２には連続して二室を作り、その二室間に振り分け機構を追加設置すると、真正紙幣Ｂ１を金種ごとに分納させることも可能となる。この場合図２に想像線で示すように、真正紙幣Ｂ１の取出口を装置側面に設けると、取出作業も容易に行なえる。ここで図中４２はバッチ機構を示す。そして、本実施の形態は紙幣Ｂを印刷紙葉類の中で想定したが、これに限らず商品券、ビール券等の券状とした印刷紙葉類に広く適用させることができ、例えば使用するデータのメモリーを切り替えることで、複数種の券種に対応でき、また、複数国の紙幣と対応させることもできることとなる。そして、ケーシング１の設定方向性を９０度入れ替え、流す紙幣の金種位置を決めると、新紙幣、旧紙幣に簡単に対応でき、疑券を排除して、新紙幣、旧紙幣用のスタッカーを形成できる。この場合、センサー群１５は搬路１１に対し上下位置となる。また、表示パネル６には疑券や新、旧紙幣のパーセンテイジ等の表示を行なわせることもソフト上問題なく可能となる。更に、印刷紙葉類の種類ごと（例えば金種）毎の特徴を捉えることができるようにスイッチを用意し、その入力によって自動的にセンサー群を移動させ、あるいは点灯作動させることができるようなシステムを付加することもできる。
【００３４】
【発明の効果】
本発明に係る印刷紙葉類のカウンターは上述のように構成され作用する。そのため、疑券が検出されても装置自体の作動は停止することなく続行され、疑券は専用の収容部へ分別される。そのため、常に装置を監視し続ける必要はなくなり、作業が高速で処理されることとなる。そして、その機構から誤動作、故障もなくなり、その作業の精巧度も向上され、全体がコンパクト化され、価格も低廉なものとして需要者に供給できる。さらに、機構自体が簡易なため、実施の形態を変形させ、水平方向に印刷紙葉類を搬送する構造としても薄型のカウンターとして成形することができる。
【図面の簡単な説明】
【図１】本発明を実施した紙幣カウンターの機構を示す側面図である。
【図２】スライド式の振り分け機構を示す側面図である。
【図３】スライド機構を示す図である。
【図４】他のスライド機構を示す図である。
【図５】ソレノイドを用いた場合を示す正面図である。
【図６】ホッパー部の押え板機構を示す図である。
【図７】側断面図である。
【図８】折り畳んだ状態を示す図である。
【図９】駆動ローラにガイドローラを付設した状態を示す図である。
【符号の説明】
１  ケーシング
２  ホッパー部
３  センターガイド
４  ハンディアーム
５  調整用摘み
６  表示パネル
７  偏心ローラ
８  駆動ローラ
９  軸
１０  ガイドカバー
１１  搬路
１２  ガイドローラ
１３  誘導プーリ
１４  静止ローラ
１５  センサー群
１６  カウントセンサー
１７  排出ローラ
１８  回転バーン機構
１９  回転軸
２０  ローラ
２１  バーン（羽根）
２２  スタッカー
２３  収容部
２４  開閉扉
２５  モータ
２６  回動部材
２７  スライド部材
２８  コイルスプリング
２９  ローター
３０  ソレノイド
３１  ピン
３２  センターライン
３３  ガイド
３４  長溝
３５  押え板
３６  長溝
３７  ピン
３８  メインモータ
３９  電源用のシーソースイッチ
４０  メカニズム作動用のシーソースイッチ
４１  開閉扉
４２  バッチ機構
Ｂ  紙幣
Ｂ１  真正紙幣
Ｂ２  疑券
Ｓ  隙間
【図１】
2004348404.tif 000003
【図２】
2004348404.tif 000004
【図３】
2004348404.tif 000005
【図４】
2004348404.tif 000006
【図５】
2004348404.tif 000007
【図６】
2004348404.tif 000008
【図７】
2004348404.tif 000009
【図８】
2004348404.tif 000010
【図９】
2004348404.tif 000011